(57)【要約】【課題】従来のアキュムレータは、導入パイプから流入した冷媒ガスを、径の細い導出パイプを通じて流出させるため、導出パイプ内壁と冷媒ガスとの流路抵抗が損失となり、圧縮機の入力を増大させるという問題が生じていた。本発明は、空調用圧縮機に取り付けられるアキュムレータの導出パイプの内壁による流路抵抗を低減させ、圧縮機の効率を向上させることを目的とする。【解決手段】アキュムレータの導出パイプの内壁による流路抵抗を低減させ、圧縮機の効率を向上させるため、アキュームレーの導出パイプ内壁に微小なディンプルを多数設ける。【選択図】図２
2009221959.tif 000002
【特許請求の範囲】
【請求項１】
冷凍サイクルを構成する圧縮機の吸入側に取り付けられ、冷媒から分離した液成分を溜める貯溜室に導出パイプを下方より挿入し、前記導出パイプの内壁に微小なくぼみを多数設けたことを特徴とするアキュムレータを搭載した密閉型圧縮機。
【請求項２】
冷凍サイクルを構成する圧縮機の吸入側に取り付けられ、冷媒から分離した液成分を溜める貯溜室に導出パイプを下方より挿入し、前記導出パイプの内壁に微小な突起を多数設けたことを特徴とするアキュムレータを搭載した密閉型圧縮機。
【請求項３】
塩素を含まないＨＣＦＣやＨＦＣ等を冷媒とした請求項１及び請求項２記載の密閉型圧縮機。
【請求項４】
二酸化炭素やアンモニア、ヘリウム等の自然冷媒を冷媒とした請求項１及び請求項２記載の密閉型圧縮機。
【請求項５】
ナフテン油、パラフィン油、アルキルベンゼン油などの天然物あるいは天然物由来のオイル、およびポリエーテル系油、ポリオールエステル系油などの合成オイル、または上記天然物あるいは天然物由来のオイルと合成オイルの混合オイルを使用した請求項１及び請求項２記載の密閉型圧縮機。
【請求項６】
上記オイルに、ベンゾトリアゾールなどの銅不活性化剤、硫黄系極圧添加剤、ハロゲン系極圧添加剤、りん系極圧添加剤、有機金属化合物系極圧添加剤、およびこれらの組み合わせからなる極圧添加剤など、その他の公知の添加剤を有効量配合した請求項１記載の密閉型圧縮機。
【発明の詳細な説明】
【技術分野】
【０００１】
本発明は、冷暖房、あるいは冷蔵庫等の冷却装置に用いられる圧縮機用アキュムレータに関する。
【背景技術】
【０００２】
従来より、冷暖房、あるいは冷蔵庫等の圧縮機にはアキュムレータが用いられてきている。この種の圧縮機用アキュムレータを図５に示す。この種のアキュムレータは圧縮機の吸入側に取り付けられるもので、円筒状のアキュムレータ本体１０１の上方に冷媒の導入部１０２を設け、アキュムレータ本体１０１の下方に導出パイプ１０３を挿入して固定し、液成分の貯溜室１０４を形成している。１０５は気液分離のためのバッフル板で、その周囲には冷媒通路１０６が設けてある。また、１０７は貯溜室１０４に溜った液成分中のオイルを導出パイプ１０３に戻すオイル戻し穴である（例えば、特許文献１参照）。
【特許文献１】特開平５−２５６２６０号公報
【発明の開示】
【発明が解決しようとする課題】
【０００３】
このようなアキュムレータは、導入パイプから流入した冷媒ガスを、径の細い導出パイプを通じて流出させるため、導出パイプ内壁と冷媒ガスとの流路抵抗が損失となり、圧縮機の入力を増大させるという問題が生じていた。
【課題を解決するための手段】
【０００４】
本発明の技術的な第１の手段は、アキュムレータの導出パイプの内壁に微小なくぼみを多数設けたことである。
【発明の効果】
【０００５】
本発明によれば、アキュムレータの導出パイプによる入力値増加を防いだ高効率の圧縮機を提供できる。
【発明を実施するための最良の形態】
【０００６】
（実施の形態１）
本発明によるアキュムレータの断面図を図１に示す。図１において、１は円筒形状をしたアキュムレータ本体、２は冷媒が流れ込む導入パイプ、３は冷媒が流れ出す導出パイプ、４は液成分を貯める貯溜室、５は気液分離用のバッフルで、その周囲には冷媒通路６が複数個設けてあり、導入パイプ２から流入した液成分が直接導出パイプ３に入るのを防いでいる。導出パイプ３の下部にはオイル戻し穴７が設けてあり、貯溜室４に溜まった潤滑油を圧縮機内部へ戻す働きをする。本発明においては導出パイプ３の内壁に微小なくぼみ（以下ディンプル８）をつけている。その様子を図２に示す。以下、ディンプルの作用を説明する。
【０００７】
通常、平滑な内壁の管内流の場合には、図３に示すように管内の速度は管中央で最大となり、管の壁面近傍で最小となる。特に壁面近傍においては、境界層と呼ばれる領域が存在し、壁面でゼロの速度から境界層の外縁で内管壁面にそった流れの速度まで急激に変化する。この急激な速度の変化は壁面にそった応力となって、摩擦抵抗を生じさる。境界層は流れの穏やかな層流境界層と乱れた流れによる乱流境界層に大別される。いずれの境界層も条件が揃えば壁面から剥離し、いわゆる境界層剥離が起こる。境界層剥離が起こると、壁面が受ける抵抗は摩擦抵抗だけの場合に比べて著しく大きくなる。摩擦抵抗を小さく抑えるためにはこの境界層剥離を防ぐことが重要となる。
【０００８】
また重要な事実として、乱流境界層は層流境界層に比べて剥離が起こりにくいことが知られている。この事実に目をつけて、境界層剥離を防ぐために表面を粗くしたり、流れに乱れを導入したりして、積極的に層流境界層を乱流境界層に変える技術がある。境界層剥離が起こらない限界で、なるべく小さな乱れを与えるため、ゴルフボールの表面に凸凹をつける技術等が良く知られている。当発明においてはアキュムレータの導出パイプ内壁にディンプル８を全面に渡り設けている。ディンプルの作用により、壁面に形成された層流境界層を乱流境界層に変え、境界層剥離を防ぐことによりアキュムレータの導出パイプでの抵抗を低くでき、結果的に圧縮機の入力値増加を防ぐことができる。
【０００９】
（実施の形態２）
また、アキュムレータの導出パイプ内壁に設けるのはくぼみに限定せず、図４に示す微小な突起９でも同様の効果が得られる。
【００１０】
（実施の形態３）
また、近年オゾン層保護の観点から、塩素を含まないＨＦＣ冷媒を用いた圧縮機が開発されている。当機構を有した圧縮機をこのようなＨＦＣ冷媒に用いることも可能である。
【００１１】
（実施の形態４）
また、近年地球温暖化防止の観点から二酸化炭素、ヘリウム、アンモニア等の自然冷媒を用いた圧縮機が開発されている。そのような自然冷媒を用いた圧縮機に当発明を適用することも可能である。
【００１２】
（実施の形態５）
通常圧縮機には、使用する冷媒や圧縮機構部３に用いられる材質によって様々な種類のオイルが使用されている。当発明は、圧縮機で主に用いられているナフテン油、パラフィン油、アルキルベンゼン油などの天然物あるいは天然物由来のオイル、およびポリエーテル系油、ポリオールエステル系油などの合成オイル、または上記天然物あるいは天然物由来のオイルと合成オイルの混合オイルなどにも適用することが可能である。
【００１３】
（実施の形態６）
また、機械的特性を上げるために、上記オイルに種々の添加剤を加えることがある。当発明は、ベンゾトリアゾールなどの銅不活性化剤、硫黄系極圧添加剤、ハロゲン系極圧添加剤、りん系極圧添加剤、有機金属化合物系極圧添加剤、およびこれらの組み合わせからなる極圧添加剤などを有効量配合した圧縮機にも適用することも可能である。
【産業上の利用可能性】
【００１４】
以上のように、本発明にかかるアキュムレータは、導出パイプによる入力値増加を防いだ高効率の圧縮機を提供することが可能となるので、空気調和機や冷蔵庫等、乾燥機や除湿機等の用途にも適用できる。
【図面の簡単な説明】
【００１５】
【図１】本発明実施の形態1におけるアキュムレータの断面図
【図２】実施の形態１による導出パイプの内壁拡大図
【図３】管内流の速度分布を示す図
【図４】実施の形態２による導出パイプの内壁拡大図
【図５】従来のアキュムレータの断面図
【符号の説明】
【００１６】
１  アキュムレータ本体
２  導入パイプ
３  導出パイプ
４  貯溜室
５  バッフル
６  冷媒通路穴
７  オイル戻し穴
８  ディンプル
９  微小突起
【図１】
2009221959.tif 000003
【図２】
2009221959.tif 000004
【図３】
2009221959.tif 000005
【図４】
2009221959.tif 000006
【図５】
2009221959.tif 000007